(57)【要約】  通信システムにおいて制御ネットワーク要素とトランシーバネットワーク要素との間で情報を伝送する方法が開示される。制御ネットワーク要素とトランシーバネットワーク要素とを接続する第１の接続及び第２の接続が準備される。第１の接続は、第２の接続よりも高い保証されたサービス品質を有している。情報片は、所定の基準を使用し、第１の接続または第２の接続を使用して伝送される。
2008503951.tif 000002
【特許請求の範囲】
【請求項１】
通信システムにおいて制御ネットワーク要素とトランシーバネットワーク要素との間で情報を伝送するための方法において、
上記制御ネットワーク要素と上記トランシーバネットワーク要素とを接続する第１の接続を準備するステップと、
上記制御ネットワーク要素と上記トランシーバネットワーク要素とを接続する第２の接続を準備するステップと、
を含み、
上記第１の接続は、上記第２の接続より高い保証されたサービス品質を有しており、
上記方法は更に、
所定の基準を使用し、上記第１の接続及び上記第２の接続の少なくとも一方を使用して情報片（piece of information）を伝送するステップ、
を含む、
ことを特徴とする方法。
【請求項２】
上記伝送ステップは、上記トランシーバネットワーク要素の制御の下に、少なくとも１つの情報片を上記第２の接続を使用して通信デバイスと上記トランシーバネットワーク要素との間で伝送するようにスケジュールするステップを含むことを特徴とする請求項１に記載の方法。
【請求項３】
上記伝送ステップは、上記制御ネットワーク要素と上記トランシーバネットワーク要素との間で音声情報(speech information)を伝送するために上記第１の接続を使用するステップを含むことを特徴とする請求項１または２に記載の方法。
【請求項４】
上記伝送ステップは、上記通信デバイスに専用のパケットデータチャネルに関連する情報を伝送するために上記第１の接続を使用するステップを含むことを特徴とする請求項１乃至３の何れか１つに記載の方法。
【請求項５】
上記伝送ステップは、少なくとも１つの制御情報片のために上記第１の接続を使用するステップを含むことを特徴とする先行請求項の何れかに記載の方法。
【請求項６】
上記伝送ステップは、少なくとも１つの再伝送された情報片のために上記第１の接続を使用するステップを含むことを特徴とする先行請求項の何れかに記載の方法。
【請求項７】
上記伝送ステップは、共用パケットデータチャネルに関連する少なくとも１つの情報片のために上記第２の接続を使用するステップを含むことを特徴とする先行請求項の何れかに記載の方法。
【請求項８】
上記伝送ステップは、伝送速度と転送遅延要求の少なくとも１つを有する、少なくとも１つの情報片のために上記第１の接続を使用するステップを含むことを特徴とする先行請求項の何れかに記載の方法。
【請求項９】
上記伝送ステップは、上記情報片に関連する優先順位（scheduling priority）を考慮するステップを含むことを特徴とする先行請求項の何れかに記載の方法。
【請求項１０】
上記伝送ステップは、もし上記第１の接続に利用可能な容量が存在すれば、上記第１の接続を使用するステップを含むことを特徴とする先行請求項の何れかに記載の方法。
【請求項１１】
上記第１の接続を準備するステップは、時分割多重化ネットワーク内に上記第１の接続を準備するステップを含むことを特徴とする先行請求項の何れかに記載の方法。
【請求項１２】
上記第１の接続を準備するステップは、伝送ネットワーク内に上記第１の接続を準備するステップを含むことを特徴とする先行請求項の何れかに記載の方法。
【請求項１３】
上記第１の接続を有する上記トランシーバネットワーク要素のためにタイミング基準を提供するステップ、
を更に含むことを特徴とする先行請求項の何れかに記載の方法。
【請求項１４】
上記第２の接続を準備するステップは、パケット交換ネットワークによって上記第２の接続を準備するステップを含むことを特徴とする先行請求項の何れかに記載の方法。
【請求項１５】
上記制御ネットワーク要素において、上記情報片のために上記第１の接続及び上記第２の接続の少なくとも一方を選択するステップ、
を更に含むことを特徴とする先行請求項の何れかに記載の方法。
【請求項１６】
上記トランシーバネットワーク要素において、上記情報片のために上記第１の接続及び上記第２の接続の少なくとも一方を選択するステップ、
を更に含むことを特徴とする請求項１乃至１４の何れか１つに記載の方法。
【請求項１７】
少なくとも１つの制御ネットワーク要素及び少なくとも１つのトランシーバネットワーク要素を含む通信システムにおいて、
上記少なくとも１つの制御ネットワーク要素の少なくとも第１の制御ネットワーク要素、及び上記少なくとも１つのトランシーバネットワーク要素の少なくとも第１のトランシーバネットワーク要素は第１の接続及び第２の接続を介して接続され、上記第１の接続は上記第２の接続より高い保証されたサービス品質を提供し、
上記通信システムは、所定の基準を使用し、上記第１の接続及び上記第２の接続の少なくとも一方を使用して情報片を伝送するように構成されている、
ことを特徴とする通信システム。
【請求項１８】
上記所定の基準は、上記トランシーバネットワーク要素の制御の下に、少なくとも１つの情報片を上記第２の接続を使用して通信デバイスと上記第１のトランシーバネットワーク要素との間で伝送するようにスケジュールすることを含むことを特徴とする請求項１７に記載の通信システム。
【請求項１９】
上記所定の基準は、上記第１の制御ネットワーク要素と上記第１のトランシーバネットワーク要素との間で音声情報を伝送するために上記第１の接続を使用することを含むことを特徴とする請求項１７または１８に記載の通信システム。
【請求項２０】
上記所定の基準は、上記通信デバイスに専用のパケットデータチャネルに関連する情報を伝送するために上記第１の接続を使用することを含むことを特徴とする請求項１７乃至１９の何れか１つに記載の通信システム。
【請求項２１】
上記所定の基準は、少なくとも１つの制御情報片のために上記第１の接続を使用することを含むことを特徴とする請求項１７乃至２０の何れか１つに記載の通信システム。
【請求項２２】
上記所定の基準は、少なくとも１つの再伝送された情報片のために上記第１の接続を使用することを含むことを特徴とする請求項１７乃至２１の何れか１つに記載の通信システム。
【請求項２３】
上記所定の基準は、共用パケットデータチャネルに関連する少なくとも１つの情報片のために上記第２の接続を使用することを含むことを特徴とする請求項１７乃至２２の何れか１つに記載の通信システム。
【請求項２４】
上記所定の基準は、伝送速度及び転送遅延要求の少なくとも１つを有する少なくとも１つの情報片のために上記第１の接続を使用することを含むことを特徴とする請求項１７乃至２３の何れか１つに記載の通信システム。
【請求項２５】
上記所定の基準は、上記情報片に関連する優先順位（scheduling priority）を考慮することを含むことを特徴とする請求項１７乃至２４の何れか１つに記載の通信システム。
【請求項２６】
上記所定の基準は、もし上記第１の接続に利用可能な容量が存在すれば、上記第１の接続を使用することを含むことを特徴とする請求項１７乃至２５の何れかに記載の通信システム。
【請求項２７】
上記第１の接続は、伝送ネットワークによって準備されることを特徴とする請求項１７乃至２６の何れか１つに記載の通信システム。
【請求項２８】
上記第１の接続は、時分割多重化ネットワークによって準備されることを特徴とする請求項１７乃至２７の何れか１つに記載の通信システム。
【請求項２９】
上記第１の接続は、上記第１のトランシーバネットワーク要素のためにタイミング基準を提供することを特徴とする請求項１７乃至２８の何れか１つに記載の通信システム。
【請求項３０】
上記第２の接続は、パケット交換ネットワークによって準備されることを特徴とする請求項１７乃至２９の何れか１つに記載の通信システム。
【請求項３１】
上記通信システムは、セルラ通信システムを備えることを特徴とする請求項１７乃至３０の何れか１つに記載の通信システム。
【請求項３２】
上記通信システムは、高速ダウンリンクパケットアクセスを提供するワイドバンド符号分割多重アクセス（ＣＤＭＡ）システムを備えることを特徴とする請求項３１に記載の通信システム。
【請求項３３】
上記通信システムは、高速アップリンクパケットアクセスを提供するワイドバンド符号分割多重アクセス（ＣＤＭＡ）システムを備えることを特徴とする請求項３１または３２に記載の通信システム。
【請求項３４】
通信システムのための制御ネットワーク要素において、上記制御ネットワーク要素は、
上記制御ネットワーク要素とトランシーバネットワーク要素との間で伝送される情報のための第１のインタフェース及び第２のインタフェースを準備するように構成され、
上記第１のインタフェースは第１の接続に関連し、上記第２のインタフェースは第２の接続に関連しており、上記第１の接続は上記第２の接続より高い保証されたサービス品質を提供し、
上記制御ネットワーク要素は更に、
所定の基準に依存して、上記制御ネットワーク要素と上記トランシーバネットワーク要素との間で伝送される情報片のために上記第１のインタフェース及び上記第２のインタフェースの少なくとも一方を使用するように構成されている、
ことを特徴とする制御ネットワーク要素。
【請求項３５】
上記所定の基準を使用し、上記情報片のために上記第１のインタフェース及び上記第２のインタフェースの少なくとも一方を選択するように更に構成されていることを特徴とする請求項３４に記載の制御ネットワーク要素。
【請求項３６】
上記制御ネットワーク要素は、セルラ通信システムのためのものであることを特徴とする請求項３４または３５に記載の制御ネットワーク要素。
【請求項３７】
上記制御ネットワーク要素は、ワイドバンド符号分割多重アクセス（ＣＤＭＡ）システムの無線ネットワークコントローラを含むことを特徴とする請求項３６に記載の制御ネットワーク要素。
【請求項３８】
通信システムのためのトランシーバネットワーク要素において、上記トランシーバネットワーク要素は、
制御ネットワーク要素と上記トランシーバネットワーク要素との間で伝送される情報のための第１のインタフェース及び第２のインタフェースを準備するように構成され、
上記第１のインタフェースは第１の接続に関連し、上記第２のインタフェースは第２の接続に関連しており、上記第１の接続は上記第２の接続より高い保証されたサービス品質を提供し、
上記トランシーバネットワーク要素は更に、
所定の基準に依存して、上記制御ネットワーク要素と上記トランシーバネットワーク要素との間で伝送される情報片のために上記第１のインタフェース及び上記第２のインタフェースの少なくとも一方を使用するように構成されている、
ことを特徴とするトランシーバネットワーク要素。
【請求項３９】
上記所定の基準を使用し、上記情報片のために上記第１のインタフェース及び上記第２のインタフェースの少なくとも一方を選択するように更に構成されていることを特徴とする請求項３８に記載のトランシーバネットワーク要素。
【請求項４０】
上記トランシーバネットワーク要素は更に、上記情報片を通信デバイスへ伝送するためにスケジュールするように構成されていることを特徴とする請求項３８または３９に記載のトランシーバネットワーク要素。
【請求項４１】
上記トランシーバネットワーク要素は、セルラ通信システムの基地局を備えることを特徴とする請求項３８乃至４０の何れか１つに記載のトランシーバネットワーク要素。
【請求項４２】
上記トランシーバネットワーク要素は、ワイドバンド符号分割多重アクセス（ＣＤＭＡ）システムのノードＢを備えることを特徴とする請求項３８乃至４１の何れか１つに記載のトランシーバネットワーク要素。
【請求項４３】
内部に含まれている制御ネットワーク要素とトランシーバネットワーク要素との間で情報を伝送するように構成されている通信システムにおいて、上記通信システムは、
上記制御ネットワーク要素と上記トランシーバネットワーク要素とを接続する第１の接続を準備する第１の準備手段と、
上記制御ネットワーク要素と上記トランシーバネットワーク要素とを接続する第２の接続を準備する第２の準備手段と、
を含み、
上記第１の接続は上記第２の接続より高い保証されたサービス品質を有し、
上記通信システムは更に、
所定の基準を使用し、上記第１の接続及び上記第２の接続の少なくとも一方を使用して情報片を伝送する伝送手段、
を含むことを特徴とする通信システム。
【発明の詳細な説明】
【技術分野】
【０００１】
本発明は、通信システムにおける情報の伝送に関する。詳述すれば、本発明は、制御ネットワーク要素とトランシーバネットワーク要素との間の情報の伝送に関する。
【背景技術】
【０００２】
通信システムは、ユーザ機器及び／またはシステムに関連付けられた他のノードのような２つまたはそれ以上のエンティティ間の通信を可能にする設備と見ることができる。通信は、例えば音声、データ、マルチメディア等々の通信からなることができる。通信システムは、回線交換またはパケット交換であることができる。通信システムは、無線通信を提供するように構成することができる。
【０００３】
通信システムの一例は、セルラ通信システムである。セルラ通信システムのカバレッジエリアは、セルに分割される。一般的に、ユーザの可動性は、ユーザの通信デバイスが現在位置しているセルに対応するトランシーバネットワーク要素への接続（呼出し）を再ルーティングすることによって支援される。第２世代セルラ通信システムの一例は「モバイル通信のためのグローバルシステム（ＧＳＭ）」であり、第３世代セルラ通信システムの一例は「ワイドバンドＣＤＭＡ（符号分割多重アクセス）」システムである。
【０００４】
伝統的に、セルラ通信システムは回線交換システムであった。若干の第２世代セルラ通信システム及び多くの第３世代セルラ通信システムは、回線交換及びパケット交換の両通信を支援する。パケット交換通信のボリュームは増加しつつあり、従ってセルラ通信システムにパケット交換データを伝送する能力を与えることが重要である。
【０００５】
パケット交換トラフィックに関連する１つの特色は、このトラフィックが屡々非対称であることである。例えば、インターネットをブラウジングするユーザを考えよう。典型的には、ユーザに向かうパケット交換トラフィックの方が、逆方向に、即ち、ユーザからインターネットのサーバに向かう交換トラフィックよりも遙かに多い。従って、パケット交換データを支援する他に、通信システムにおける非対称パケット交換トラフィックを支援する必要がある。
【０００６】
ワイドバンドＣＤＭＡ（ＷＣＤＭＡ）システムにおいて通信デバイスに向かうパケット交換トラフィックを支援する一解法は、高速ダウンリンクパケットアクセス（ＨＳＤＰＡ）である。ＨＳＤＰＡは、ＷＣＤＭＡシステムと通信デバイスとの間の無線インタフェースに新しい物理チャネルを含む。ＨＳＤＰＡ物理チャネルは、ＨＳＤＰＡを使用する複数の通信デバイスによって共用される。ＨＳＤＰＡ物理チャネルは、他のＷＣＤＭＡから分離されており、無線インタフェースにおけるＷＣＤＭＡシステムのダウンリンクパケットデータ伝送容量を増加させる。
【０００７】
共用ＨＳＤＰＡチャネルの最大データ転送速度は、10Ｍビット／秒である。このデータ転送速度は、ＷＣＤＭＡシステム内の他のチャネルによって支援されるデータ転送速度より約５倍高速である。無線インタフェースにおける伝送容量の増加に伴って、ＷＣＤＭＡシステム内の伝送容量も増加させる必要がある。
【０００８】
図１に、セルラ通信システム１００におけるダウンリンクパケットデータ通信の概要を示す。無線インタフェースを通して通信デバイス１０１との通信を行うトランシーバネットワーク要素１１０は、制御ネットワーク要素１２０に接続されている。典型的には、幾つかのトランシーバネットワーク要素が１つの制御ネットワーク要素に接続されている。制御ネットワーク要素１２０自体は、セルラ通信システム１００のコアパケットネットワーク１３０に接続されている。ＷＣＤＭＡシステムにおいては、トランシーバネットワーク要素を基地局、または「ノードＢ」と呼び、制御ネットワーク要素を「無線ネットワークコントローラ」と呼ぶ。
【０００９】
トランシーバネットワーク要素１１０は、伝送ネットワーク１４０によって準備される固定接続１１２によって制御ネットワーク要素１２０に接続されていることが多い。伝送ネットワークは、エンドポイント間の固定接続を準備する。本明細書に使用する固定接続とは、その接続を通して伝送されるデータが存在するか否かには関係なく、特定の接続のために保留されている伝送容量のことを言う。伝送ネットワークによって準備される固定接続を、リース（された）回線と呼ぶことが多い。伝送ネットワーク１４０は、例えば、プレシオクロナス（plesiochronous）デジタル階層（ＰＤＨ）または同期デジタル階層（ＳＤＨ）を使用して実現することができる。ＰＤＨ伝送ネットワークにおいては、共通基本データ転送速度は2,048Ｍビット／秒であり、この基本データ転送速度を有する固定接続をＥ１接続と呼ぶ。通信システム１００を使用して通信デバイスへの、及び通信デバイスからの音声接続を支援する場合、トランシーバネットワーク要素を制御ネットワーク要素に接続する、またはその逆に接続するＥ１接続は、一般に、30×64ｋビット／秒チャネル＋シグナリング及び同期のための２×64ｋビット／秒チャネルに分割される。代替として、Ｅ１接続の容量、または他の型のリース回線の容量を、異なる方法で多数の接続／ユーザの間に分割することが可能である。
【００１０】
制御ネットワーク要素１２０とトランシーバネットワーク要素１１０との間のデータ伝送容量を増加させるための一般的解法は、例えば複数のＥ１接続のような複数のリース回線接続を準備することである。しかしながら、これは、特にＨＳＤＰＡダウンリンクデータトラフィックのための最大容量を稀にしか必要としないのであれば、ＨＳＤＰＡダウンリンクパケット・データトラフィックのための伝送容量を準備することが実現可能な費用有効な解法ではないことが分かっている。
【００１１】
以上にＨＳＤＰＡ及びＷＣＤＭＡシステムを詳細に説明したが、類似の問題が他の通信システムにおいても発生し得ることは理解されよう。
【発明の開示】
【発明が解決しようとする課題】
【００１２】
本発明の実施の形態は、通信システムにおいてデータ通信容量を準備するための実行可能な解法を提供することを目指している。
【課題を解決するための手段】
【００１３】
本発明の第１の面は、通信システムにおいて制御ネットワーク要素とトランシーバネットワーク要素との間で情報を伝送するための方法に関し、本方法は、
上記制御ネットワーク要素と上記トランシーバネットワーク要素とを接続する第１の接続を準備するステップと、
上記制御ネットワーク要素と上記トランシーバネットワーク要素とを接続する第２の接続を準備するステップと、
を含み、
上記第１の接続は上記第２の接続より高い保証されたサービス品質を有しており、
上記方法は更に、
所定の基準を使用し、上記第１の接続または上記第２の接続を使用して情報片を伝送するステップ、
を含む。
【００１４】
本発明の第２の面は、少なくとも１つの制御ネットワーク要素及び少なくとも１つのトランシーバネットワーク要素を含む通信システムに関し、
上記少なくとも１つの制御ネットワーク要素の第１の制御ネットワーク要素、及び上記少なくとも１つのトランシーバネットワーク要素の第１のトランシーバネットワーク要素は第１の接続及び第２の接続を介して接続され、上記第１の接続は上記第２の接続より高い保証されたサービス品質を提供し、
上記通信システムは、所定の基準を使用し、上記第１の接続または上記第２の接続を使用して情報片を伝送するように構成されている。
【００１５】
本発明の第３の面は、通信システムのための制御ネットワーク要素に関し、上記制御ネットワーク要素は、
上記制御ネットワーク要素とトランシーバネットワーク要素との間で伝送される情報のための第１のインタフェース及び第２のインタフェースを準備するように構成され、
上記第１のインタフェースは第１の接続に関連し、上記第２のインタフェースは第２の接続に関連しており、上記第１の接続は上記第２の接続より高い保証されたサービス品質を提供し、
上記制御ネットワーク要素は更に、
所定の基準に依存して、上記制御ネットワーク要素と上記トランシーバネットワーク要素との間で伝送される情報片のために上記第１のインタフェースまたは上記第２のインタフェースを使用する、
ように構成されている。
【００１６】
本発明の第４の面は、通信システムのためのトランシーバネットワーク要素に関し、上記トランシーバネットワーク要素は、
上記制御ネットワーク要素とトランシーバネットワーク要素との間で伝送される情報のための第１のインタフェース及び第２のインタフェースを準備するように構成され、
上記第１のインタフェースは第１の接続に関連し、上記第２のインタフェースは第２の接続に関連しており、上記第１の接続は上記第２の接続より高い保証されたサービス品質を提供し、
上記トランシーバネットワーク要素は更に、
所定の基準に依存して、上記制御ネットワーク要素と上記トランシーバネットワーク要素との間で伝送される情報片のために上記第１のインタフェースまたは上記第２のインタフェースを使用する、
ように構成されている。
【発明を実施するための最良の形態】
【００１７】
本発明の実施例が、以下、添付の図面を参照して、例示の目的のみによって説明される。
以下に、本発明の実施の形態を、ＷＣＤＭＡシステム及び高速ダウンリンクパケットアクセス（ＨＳＤＰＡ）に関連して詳細に説明する。しかしながら、本発明はＷＣＤＭＡシステム及びＨＳＤＰＡの特色を組み合わせたシステム以外の他の通信システムにも適用可能であることを理解されたい。
【００１８】
図１に関しては、本発明の背景技術に関連して既に説明した。図２は、通信システム２００及び通信デバイス１０１の例を示している。図２には、本発明の実施の形態による通信システムが、セルラ通信システムとして示されている。図２には、通信デバイス１０１との間で情報を送受信する責を負うトランシーバネットワーク要素２１０が示されている。図２には、例えば、同一トランシーバネットワーク要素を介して複数の通信デバイス間に無線資源を割当てる責を負う制御ネットワーク要素２２０も示されている。典型的にはゲートウェイネットワーク要素を介して、通信デバイス１０１と、通信システム２００が接続されているパケット交換ネットワーク（図２には示してない）との間でパケットデータ転送を行うために、制御ネットワーク要素２２０は通信システム２００のパケットコアネットワーク１３０に接続されている。
【００１９】
図２には更に、制御ネットワーク要素２２０及びトランシーバネットワーク要素２１０が、伝送ネットワーク１４０によって準備される第１の接続１１２に接続されていることが示されている。本発明の背景技術において説明したように、この伝送ネットワーク１４０は、例えばＳＤＨネットワークまたはＰＤＨネットワークであることができる。本発明の実施の形態に適用可能な伝送ネットワーク１４０は、好ましくは、ジッタを生ずることなく、一定の伝送遅延を与える。従って、本発明の実施の形態に適用可能な伝送ネットワーク１４０は、典型的には、時分割多重化ネットワークである。本発明の実施の形態に適用可能な伝送ネットワーク１４０は更に、通信システムにタイミング基準を与える。タイミング基準を与えるとは、複数のトランシーバネットワーク要素を１つまたは複数の制御ネットワーク要素に接続する伝送ネットワーク１４０が、少なくともトランシーバネットワーク要素のためのタイミング基準を与えることを意味する。トランシーバネットワーク要素は、典型的には、互いに他に対して正しい時間に情報を伝送するためのタイミング基準を必要とする。
【００２０】
図２は更に、トランシーバネットワーク要素２１０及び制御ネットワーク要素２２０が、パケット交換ネットワーク２５０を介して互いに接続されていることを示している。このパケット交換ネットワーク２５０はセルラ通信システムのオペレータが所有することも、またはパケット交換ネットワーク２５０は第三者が所有することもできる。パケット交換ネットワーク２５０は、典型的には、データ転送に関して伝送ネットワーク１４０よりも低い保証されたサービス品質を提供する。本明細書において使用する保証されたサービス品質とは、例えば、ある接続のエンドポイント間の一定の転送遅延のことを言う。他の重要なファクタは、例えば、制御ネットワーク要素とトランシーバネットワーク要素との間のシグナリングメッセージが失われないようにする高度な接続信頼性である。若干のトランシーバネットワーク要素の例は、基準システムフレームタイミングを得るために、またはＲＦ（無線周波数）の周波数安定度を確立するための基準クロックさえも得るためにＥ１またはＴ１型接続を必要としよう。
【００２１】
本明細書では、制御ネットワーク要素２２０とトランシーバネットワーク要素２１０との間の接続を第２の接続と呼ぶが、この第２の接続がパケット交換接続であることは理解されよう。第２の接続は、実際には、制御ネットワーク要素２２０とトランシーバネットワーク要素２１０との間の複数の分離したパケットデータ接続のことを意味することができる。更に、伝送ネットワーク１４０を介する第１の接続は、例えば、複数のＥ１接続またはＴ１接続として実現することができることを理解されたい。しかしながら、多くの場合には、制御ネットワーク要素２２０をトランシーバネットワーク要素２１に接続する１つのＥ１またはＴ１接続だけを有していれば十分である。
【００２２】
一般的に言えば、制御ネットワーク要素２２０及びトランシーバネットワーク要素２１０は各々、制御ネットワーク要素２２０とトランシーバネットワーク要素２１０との間でパケットデータを伝送するための２つのインタフェースを有している。第１のインタフェースは伝送ネットワーク１４０を介しての第１の接続に関連し、第２のインタフェースはパケット交換ネットワーク２５０を介しての第２の接続に関連している。
【００２３】
例としてＷＣＤＭＡ及びＨＳＤＰＡを考えよう。トランシーバネットワーク要素２１０は基地局（ノードＢ）であり、制御ネットワーク要素２２０は無線ネットワークコントローラである。
【００２４】
ＨＳＤＰＡは、新しい共用チャネル、即ち高速ダウンリンク共用チャネルＨＳ−ＤＳＣＨによって支援される。ＨＳ−ＤＳＣＨの若干の制御機能は、少なくとも部分的に基地局内に実現され、チャネル特性の変化への高速適合を可能にする。これらの機能は、例えば、伝送スケジューリング及びリンク適合を含む。伝送スケジューリングとは、伝送資源を複数のユーザまたは接続に割当てることである。リンク適合とは、例えば、変調及びチャネルコーディングレートを変化させることである。専用トラフィックチャネルの場合、無線資源制御及び伝送スケジューリングは主としてＷＣＤＭＡにおけるＲＮＣ内に実現される。トランシーバネットワーク要素（基地局）における伝送スケジューリングとは、制御ネットワーク要素（ＲＮＣ）から送られ、例えばＨＳ−ＤＳＣＨチャネルを使用して伝送すべきデータを、トランシーバネットワーク要素内のバッファ内に格納することを、従って、そのデータはそれが到着後直ちに伝送する必要はないことを意味している。専用チャネルＤＣＨ上で伝送することを意図しているデータの場合、トランシーバネットワーク要素における類似のバッファリングは、典型的に、Ｅ１またはＴ１接続からもたらされるジッタ補償を小さくするように制限される。典型的には、ＤＣＨ上でのトランシーバネットワーク要素の動作モードは、例えば20ミリ秒毎の間隔でデータが現れることを予測しているので、一般的に、専用トラフィックチャネルにおいては大きい遅延変動を許容することはできない。トランシーバネットワーク要素は、ＤＣＨデータが所定の時点に利用できないことを原因として伝送時点を遅延させることはできない。もし所定の時点にＤＣＨデータをエンコーディングのために利用できなければ、トランシーバネットワーク要素は例えばＤＨＣ上で不連続伝送を使用することになり、その伝送時点に遅れたデータは破棄される恐れがある。
【００２５】
従って、特に、通信デバイスとトランシーバネットワーク要素との間の無線インタフェースを介する伝送がトランシーバネットワーク要素の制御の下にスケジュールされている情報に対しては、第２の接続を使用できることが理解されよう。
【００２６】
トランシーバネットワーク要素内の無線インタフェースを介して伝送される情報のスケジューリングは、通信デバイスから通信システムへ向けてアップリンク方向に伝送される情報にも適用することができる。アップリンク内に既存のＤＣＨ上で送られる情報は、一般的にそれが一定の間隔で制御ネットワーク要素に到達することが予測されるので、典型的には移送遅延が変化することは許容されない。「第３世代パートナーシッププロジェクト（３ＧＰＰ）」によって提唱されている「エンハンスドアップリンクＤＣＨ」においては、データはトランシーバネットワーク要素において制御されるアップリンクスケジューリングを有する端末によって送られる。従って、例えばエンハンスドアップリンクＤＣＨを使用して伝送される情報のような、トランシーバネットワーク要素によってスケジューリングコントローラを使用してアップリンクにおいて伝送される情報は、伝送により多くの遅延変動を許容することができる。エンハンスドアップリンクＤＣＨの概念は、「高速アップリンクパケットアクセス（ＨＳＵＰＡ）」と呼ばれることもある。
【００２７】
ＨＳＤＰＡトラフィックは、制御ネットワーク要素からの伝送からトランシーバネットワーク要素におけるデータの受信まで、及び更にエアインタフェースを通して通信デバイスへの伝送まで、一定の遅延に対して何等の要求も課さない。アップリンク方向においては、ＨＳＵＰＡトラフィックは、１つの基地局（または、ソフトハンドオーバーの場合には、複数の基地局）が正確にある時点に制御ネットワーク要素へデータを伝送することを要求しない。基地局は、基地局と通信デバイスとの間のＨＳＤＰＡまたはＨＳＵＰＡデータのスケジューリングを制御する。従って、基地局は、スケジューリング用のバッファを含んでいる。ＨＳＤＰＡまたはＨＳＵＰＡチャネルは、一定の遅延を必要とし且つ基地局内に特別なバッファリングを許容しないトラフィック（正常な音声呼出しのような）を輸送することを意図していない。ＨＳＤＰＡまたはＨＳＵＰＡトラフィック以外に、一定の伝送遅延に対する要求を有していない他のデータも存在し得ることは理解されよう。
【００２８】
図３ａ及び３ｂは、図２に、詳述すればＷＣＤＭＡにおけるＨＳＤＰＡに関する。図３ａ及び３ｂは、ＨＳＤＰＡのための通信デバイス（ユーザ機器）、基地局（ノードＢ）、及び無線ネットワークコントローラのプロトコルスタックの概要を示している。ノードＢにおけるＨＳ−ＤＳＣＨ媒体アクセス制御の責を負うプロトコル層を、ＭＡＣ−ｈｓと呼ぶ。ノードＢとＲＮＣとの間でＨＳＤＰＡフレームを伝送するためにＨＳ−ＤＳＣＨフレームプロトコル（ＦＰ）が使用される。ＲＮＣにおいては、パケットデータＭＡＣ−ｄのための媒体制御層及び無線リンク層ＲＬＣは、ＨＳＤＰＡ及び専用トラフィックチャネルＤＣＨを使用するパケットデータ転送のためのものと同一である。
【００２９】
ＨＳＤＰＡは当分野においては公知であり、従って、本明細書においてはＨＳＤＰＡの詳細に関する説明は省略する。例えば、ダウンリンクパケットデータ伝送のために専用トラフィックチャネルを使用するか、または共用ＨＳＤＰＡを使用するかの決定の詳細は、本発明の実施の形態にとっては無関係である。本発明の実施の形態は、通信デバイスと制御ネットワーク要素との間のデータ伝送のための適切なチャネル型を選択することよりも、制御ネットワーク要素とトランシーバネットワーク要素との間のデータの伝送により多く関連している。
【００３０】
ＨＳＤＰＡの詳細に関しては、例えば、３ＧＰＰ技術仕様ＴＳ 25.308、“高速ダウンリンクパケットアクセス；総合説明；ステージ２；レリース５”のバージョン５．５．０、2002年John Wiley and Sons刊H. Holma及びA. Toskala編“WCDMA and UTMS”第２版；第１１章；279-304ページを参照されたい。
【００３１】
図３ａは、通信デバイス１０１に関連するプロトコルスタック３１０、ノードＢのプロトコルスタック３２０、及びＲＮＣ１２０のプロトコルスタック３３０を示している。図３ａのプロトコルスタック３２０及び３３０はトランシーバネットワーク要素２１０及び制御ネットワーク要素２２０内の第１のインタフェースにも適用することができる。プロトコルスタック３１０は、３つの層、即ち、物理層３１１、媒体アクセス制御（ＭＡＣ）層３１２、及び無線リンク制御（ＲＬＣ）層３１３を有している。プロトコルスタック３２０は、通信デバイス１０１向けに２つの層、即ち、物理層３２１ａ、及び媒体アクセス制御層３２２ａを有している。ノードＢプロトコルスタック３２０は、無線ネットワークコントローラ１２０向けに、層Ｌ１  ３２１ｂ、層Ｌ２  ３２２ｂ、及びＨＳ−ＤＳＣＨフレームプロトコル（ＨＳ−ＤＳＣＨ  ＦＰ）３２３を有している。プロトコルスタック３３０は、層Ｌ１  ３３１、層Ｌ２  ３３２、ＨＳ−ＤＳＣＨ  ＦＰ層３３３、媒体アクセス制御層ＭＡＣ−ｄ３３４、及びＲＬＣ層３３５を有している。
【００３２】
ＨＳＤＰＡには、ＨＳＤＰＡ接続内に含まれる２つのＲＮＣ、即ち、サービングＲＮＣ及び制御ＲＮＣが存在できることは理解されよう。制御ＲＮＣはパイパスすることが可能であり、サービングＲＮＣ内のＨＳ−ＤＳＣＨ  ＦＰ層はノードＢ内に相対部分を有している。このオプションは、図３ａと並んでいる。別のオプションは、サービングＲＮＣと制御ＲＮＣとの間にＨＳ−ＤＳＣＨ  ＦＰを使用し、ＨＳ−ＤＳＣＨ  ＦＰのトップの媒体アクセス制御プロトコルＭＡＣ−ｃ／ｓｈをノードＢと制御ＲＮＣとの間に使用することである。図３ａは、ＭＡＣ−ｃ／ｓｈ層を有していない構成におけるプロトコルスタックを示している。
【００３３】
図２の例では、無線ネットワークコントローラ２２０が伝送ネットワーク１４０を介してＨＳＤＰＡデータをノードＢへ送る場合、このＨＳＤＰＡデータ伝送に図３ａに示すプロトコルスタックを使用する。図３ａのＬ１及びＬ２プロトコル層は、ノードＢと無線ネットワークコントローラ２２０とを接続する特定伝送ネットワーク１４０に関連する機能を提供する。
【００３４】
図３ｂは、ノードＢのプロトコルスタック３４０及びＲＮＣ２２０のプロトコルスタック３５０を示している。図３ｂのプロトコルスタック３４０及び３５０は、トランシーバネットワーク要素２１０及び制御ネットワーク要素２２０内の第２のインタフェースに適用することができる。
【００３５】
第２のインタフェースについて言えば、トランシーバネットワーク要素２１０は、例えば、ＡＤＳＬ（非対称デジタル加入者回線）機器によってパケット交換ネットワーク２５０に接続することができる。代替として、トランシーバネットワーク要素２１０及び制御ネットワーク要素２２０は、ＨＤＳＬ（高データ転送速度デジタル加入者回線）を使用してパケット交換ネットワーク２５０に接続することができる。さらなる代替として、パケット交換ネットワーク２５０は、例えば、ローカルエリアネットワーク（ＬＡＮ）及びトランシーバネットワーク要素２１０であることができ、また制御ネットワーク要素はＬＡＮネットワークに接続することができる。パケット交換ネットワーク２５０は、例えば、イーサネット（登録商標）ネットワークであることができる。
【００３６】
第２のインタフェースに関連するプロトコルスタックについて言えば、図３ｂのノードＢ及びＲＮＣ内のプロトコルスタック３４０及び３５０は、図３ａに示すプロトコルスタックと類似している。プロトコルスタック３４０内のＬ１層３４１及びプロトコルスタック３５０内のＬ１層３５１は、トランシーバネットワーク要素と制御ネットワーク要素とを接続する物理媒体に関連している。Ｌ２層３４２及びＬ２層３５２は、パケット交換ネットワーク２５０内の媒体アクセス制御プロトコルに関連している。媒体アクセス制御プロトコルのトップには、若干のパケットデータプロトコル、例えば、インターネットプロトコル上のユーザデータグラムプロトコル（ＵＤＰ／ＩＰ）、またはインターネットプロトコル上の転送制御プロトコル（ＴＣＰ／ＩＰ）が存在している。図３ｂには例として、プロトコル層３４３、３５３としてのＴＣＰ／ＩＰ組み合わせを示してある。ＨＳ−ＤＳＣＨフレームプロトコル３２３、３３３は、コアパケットネットワーク１３０から受信したパケットデータを通信デバイスへ伝送する、またはその逆を行うプロトコルのトップで続行される。ＨＳ−ＤＳＣＨフレームのヘッダーは、例えば、スケジューリング優先順位、及びフローヘッダーを指示する情報を含んでいる。フローヘッダーに基づいて、トランシーバネットワーク要素（または、アップリンク方向においては、制御ネットワーク要素）は、どの通信デバイスにＨＳ−ＤＳＣＨフレームが関連しているのかを決定することができる。
【００３７】
パケット交換ネットワーク２５０は、アップリンク方向に使用してトランシーバネットワーク要素２１０から制御ネットワーク要素２２０へデータを伝送することもできる。
【００３８】
図４に、例として、本発明の実施の形態による方法４００のフローチャートを示す。方法４００は、通信システムにおいて制御ネットワーク要素とトランシーバネットワーク要素との間で情報を伝送する方法である。ステップ４０１において、制御ネットワーク要素とトランシーバネットワーク要素との間に第１の接続が準備される。ステップ４０２において、制御ネットワーク要素とトランシーバネットワーク要素との間に第２の接続が準備される。第１の接続は、第２の接続よりも高い保証されたサービス品質を提供する。通信システム２００のオペレータは、例えば、第三者からの接続性サービスを得ることによって第１及び第２の接続を有する通信システム２００を準備することができる。
【００３９】
ステップ４０３において、所定の基準を使用し、第１の接続または第２の接続を使用して情報片が伝送される。例えば、所定の基準を使用して情報片のための接続を選択する分離したステップが存在しても差し支えない。情報片のための接続の選択は、例えば、第１の接続または第２の接続を通して情報片を伝送するネットワーク要素によって遂行することができる。第２の例として、制御ネットワーク要素が、アップリンク方向に伝送される情報片のための、及びダウンリンク方向に伝送される情報片のための接続の選択に責を負うことができる。
【００４０】
上述したように、方法４００によって取扱われる情報片は、例えば、ＨＳ−ＤＳＣＨのようなチャネル型を使用して通信デバイスへ伝送されるデータパケットであることができる（スケジューリングは基地局によって制御される）。代替として、方法４００によって取扱われる情報はアップリンクデータであることができ、この場合、端末伝送速度及び伝送時点もトランシーバネットワーク要素の制御下にあり、従ってデータはトランシーバネットワーク要素から制御ネットワーク要素へ伝送される。方法４００において取扱われる情報は、制御ネットワーク要素とトランシーバネットワーク要素との間で、または制御ネットワーク要素と通信デバイスとの間で伝送される制御情報を含むことができる。この制御情報は、ＨＳＤＰＡに関連していることも、またはトランシーバネットワーク要素または通信デバイスを制御するための他の何等かの制御情報であることもできる。
【００４１】
以下に、トランシーバネットワーク要素へ伝送される情報片のための接続を選択する若干の基準を詳述する。図５は、複数の基準を使用する本発明の別の実施の形態による方法５００のフローチャートである。図５に示す異なる基準は、適当に組み合わせて使用できることを理解されたい。例えば、図５に示す判断ステップの何れか１つを、第１の接続と第２の接続との間に情報を分割するための単一の基準として使用することができる。更にステップの順序を変更することが可能である。
【００４２】
ステップ５０１において、現在の情報片が、制御ネットワーク要素とトランシーバネットワーク要素との間の制御情報であるのか、または制御ネットワーク要素と通信デバイスとの間の制御情報であるのかを調べる。制御情報は、より高い保証されたサービス品質を有する第１の接続を使用して伝送される（ステップ５０６）。また、ＨＳＤＰＡに関連している制御情報は、たとえＨＳＤＰＡに関連しているユーザデータが第２の接続を使用して伝送されていても、第１の接続を使用して伝送される。ステップ５０２において、その情報片を、トランシーバネットワーク要素内のスケジューリングを使用して通信デバイスへ伝送するのか否かを調べる。殆どの専用チャネルデータ伝送の場合、制御ネットワーク要素がスケジューリングに責を負っていることを理解されたい。ＨＳＤＰＡについて言えば、トランシーバネットワーク要素が、例えば、チャネル特性を変化させるように高速適応を可能にするスケジューリングに責を負うことができる。（換言すれば、例えば、通信チャネルが良好なチャネル特性を有している場合、通信デバイスへ高データ転送速度で伝送することを可能にする。）もし現情報片をトランシーバネットワーク要素内でスケジュールするのであれば、それは第２の接続を使用してトランシーバネットワーク要素へ伝送される（ステップ５０７）。典型的には、トランシーバネットワーク要素内で伝送のためにスケジュールされる全ての情報は、第２の接続を使用して伝送することができる。若干の実施の形態においては、共用パケット交換チャネルを使用して伝送されるどの情報も、第２の接続を使用して伝送することができる。しかしながら方法５００においては、ステップ５０３において、共用チャネルを使用するパケットデータがストリーミングサービスに関連しているのか、またはそれ以外に保証された伝送レートまたは保証された転送遅延及び遅延変動を必要とするのかを調べる。ストリーミングサービスに関連する情報片は、典型的には第２の接続よりも信頼できる第１の接続を使用して伝送することができる。共用チャネルを使用し且つ特定の遅延要求は有していない背景ＨＳＤＰＡトラフィックは、第２の接続を使用して伝送することができる。
【００４３】
ステップ５０４において、現在の情報片が再伝送であるのか否か、特にそれがＨＳＤＰＡ再伝送であるのか否かを調べる。典型的には、トランシーバネットワーク要素と通信デバイスとの間のより低いプロトコル層が再伝送を処理するが、時にはこれらの伝送が失敗するかも知れず、制御ネットワーク要素内の（または、制御ネットワーク要素内の）媒体アクセス制御エンティティが再伝送を遂行する必要がある。これらの再伝送は、第１の接続を使用して行うことができる（ステップ５０６）。
【００４４】
ステップ５０５において、共用チャネルを使用するパケットデータが高いスケジューリング優先順位を有しているか否かを調べる。ＹＥＳである場合には、第１の接続を使用することができる。ＮＯの場合には、共用チャネルを使用するパケットデータは、第２の接続を使用して伝送することができる。換言すれば、情報片を第１の接続を使用して伝送するのか、または第２の接続を使用して伝送するのかを決定する際に、スケジューリング優先順位を考慮することができる。
【００４５】
図５に示したいろいろな判断ステップに加えて、またはそれらの代替として、第１の接続の容量を最大限使用し、残余のパケットデータのために第２の接続を使用することができる。
【００４６】
図５には方法５００を単一の方法として示したが、いろいろな判断ステップを制御ネットワークエンティティ内の異なるプロトコルエンティティ内に実現可能であることを理解されたい。
【００４７】
以下に、制御ネットワーク要素とトランシーバネットワーク要素との間で伝送される情報のために接続を選択する若干の特定の代替を説明する。第１の代替は、ＨＳＤＰＡトラフィックを第２の接続上へ導き、他のトラフィックを第１の接続上へ導くことである。第２の代替は、トランシーバネットワーク要素において伝送をスケジュールされた全てのトラフィックを第２の接続へ導くことである（ステップ５０２参照）。この第２の代替は、トランシーバネットワーク要素から制御ネットワーク要素へのアップリンクトラフィックのためにも可能である。第３の代替は、第１の接続の容量を最大限使用し、パケットデータ（換言すれば、多分トランシーバネットワーク要素におけるスケジュールを因とする遅延変動を許容するデータ）を第２の接続へ導くことである。
【００４８】
第４の代替は、最初の伝送（ＲＮＣの観点から）のために、ＨＳＤＰＡデータ（または、伝送のためにトランシーバネットワーク要素の制御の下にスケジュールされた他のデータ）を第２の接続へ導き、もしＲＮＣからのＲＬＣ再伝送が存在すれば、これらの再伝送を第１の接続へ導くことである（ステップ５０４参照）。第５の代替は、ＨＳＤＰＡ背景トラフィックを第２の接続へ導き、ストリーミングサービスを（たとえ、そのストリーミングサービスがＨＳＤＰＡを使用しているとしても）第１の接続へ導くことである（ステップ５０２、５０３参照）。第６の代替は、より高いスケジューリング優先順位を有するＨＳＤＰＡデータがより信頼できる第１の接続を使用するように、スケジューリング優先順位情報に基づいてＨＳＤＰＡデータを第１及び第２の接続に分割することである（ステップ５０５参照）。第７の代替は、ＨＳＤＰＡ制御情報を第１の接続にマップし、他のＨＳＤＰＡ情報を第２の接続にマップすることである（ステップ５０１参照）。
【００４９】
伝送ネットワーク１４０を使用し、パケット交換ネットワーク２５０を使用して制御ネットワーク要素２２０とトランシーバネットワークエンティティ２１０とを接続すると、パケット交換ネットワーク２５０だけを使用して制御ネットワーク要素２２０とトランシーバネットワーク要素２１０とを接続するよりも有利である。１つの利点は、伝送ネットワーク１４０が提供するタイミング基準を、トランシーバネットワーク要素２１０が利用できることである。
【００５０】
図６は、制御ネットワーク要素２２０及びトランシーバネットワーク要素２１０の例の簡易ブロック図である。制御ネットワーク要素２２０は、トランシーバネットワーク要素２１０へ伝送される情報片のための接続を選択する選択機能６０１を含むことができる。選択機能６０１は、例えば、方法５００またはその変形を実現することができる。選択機能は、典型的には適当なプロトコル層及びプロトコル取扱いエンティティ（図６には示してない）を使用して、第１の接続に関連する第１のインタフェース６０２に、及び第２の接続に関連する第２のインタフェース６０３に接続される。第１のインタフェース６０２及び第２のインタフェース６０３は、それぞれの接続に作動的に接続されている。
【００５１】
上述したように、選択機能６０１は、共用チャネルを使用するパケットデータだけに関連することができる。この場合、第１の接続は、典型的に、制御ネットワーク要素２２０とトランシーバネットワーク要素２１０との間で伝送される他の全てのデータのために使用される。特定の例として、第１の接続は、典型的に、専用チャネルを使用して通信デバイスへ伝送されるパケットデータのために使用される。
【００５２】
トランシーバネットワーク要素２１０は、第１の接続に関連する第１のインタフェース６１１、及び第２の接続に関連する第２のインタフェース６１２を含む。第１のインタフェース６１１及び第２のインタフェース６１２は、それぞれの接続に作動的に接続されている。トランシーバネットワーク要素２１０は、例えば共用パケットデータチャネルを使用してトランシーバネットワーク要素と通信デバイスとの間で伝送される情報をスケジュールするスケジューリング機能６１３を含むことができる。スケジューリング機能６１３への入力は、典型的に、共用パケットデータチャネルを使用して伝送され且つ第１のインタフェース６１１から、及び第２のインタフェースから受信する情報である。トランシーバネットワーク要素は、典型的に、少なくともトランシーバネットワーク要素がスケジュールする情報をバッファする伝送バッファ６１４を更に含む。例えば共用パケットデータチャネルを使用して伝送されるスケジュールされた情報は、伝送バッファ６１４へ導かれる。スケジュールされた情報は、伝送バッファ６１４から通信デバイスへ伝送される。
【００５３】
当業者には明白なように、もし第２の接続が、共用パケットデータチャネルを使用するパケットデータ以外の他の情報のために使用されれば、第２のインタフェース６１２を使用して受信された情報は適切な伝送バッファへ、または受信した情報を処理する責を負うエンティティへ導く必要がある。
【００５４】
制御ネットワーク要素内の選択機能６０１が、アップリンクデータ及び／またはダウンリンクデータのための接続を選択できることは理解されよう。同様に、トランシーバネットワーク要素は、選択機能６１５を含むことができる。この選択機能６１５はアップリンクデータ及び／またはダウンリンクデータのための接続を選択することができるが、典型的には、この選択機能６１５はアップリンクデータのための接続を選択する責を負う。トランシーバネットワーク要素２１０は、例えば、トランシーバネットワーク要素の制御の下に通信デバイスとトランシーバネットワーク要素２１０との間で伝送されるようにスケジュールされた情報片のための接続を選択する。図５に関連して説明した情報片のための接続を選択するどの例も、選択機能６０１、６１５内に実現できることは理解されよう。
【００５５】
以上に、第１の接続の例として１つのＥ１接続に関連して説明したが、本発明は、制御ネットワーク要素とトランシーバネットワーク要素との間の第１の接続が複数のＥ１接続による、または伝送ネットワークを介する他の接続によるような状況にも適用することができる。また、これらの状況においては、パケット交換ネットワーク上の第２の接続を介する情報の伝送が、伝送ネットワークにおける使用のために割当てられた容量が十分ではない場合には、少なくともパケット交換ネットワークの使用が許容されるという利点が得られる。
【００５６】
トランシーバネットワーク要素と制御ネットワーク要素とを、１つより多くのパケット交換ネットワークを介して、互いに、並列に接続することも可能である。上述したように、第２の接続は複数のパケットデータ接続と呼ぶことができる。第２の接続という語は、例えば、若干のパケットデータ接続が第１のパケット交換ネットワークを介して準備され、他のパケットデータ接続が第２のパケット交換ネットワークを介して準備されるような複数のパケットデータ接続をもカバーする。当業者には明白なように、この場合、情報片のために第２の接続を選択すると、利用可能な異なるパケット交換ネットワークの間の選択を伴う。
【００５７】
第２の接続を制御ネットワーク要素からトランシーバネットワーク要素へ情報を伝送するために使用することに加えて、第２の接続はアップリンク方向への情報の伝送にも使用できることも理解されよう。第２の接続を使用してのアップリンク方向への情報の伝送は、トランシーバネットワーク要素によってスケジュールされた情報伝送のために特に適している。
【００５８】
以上にＷＣＤＭＡシステム及びＨＳＤＰＡの詳細を説明したが、本発明が他の通信システムにも適用可能であることは理解されよう。本発明は、特に、専用トラフィックチャネル及びパケットデータのための特別チャネル（このパケットデータチャネルは専用トラフィックチャネルより高い伝送容量を有し、トランシーバネットワーク要素内に少なくとも部分的に実現されたスケジューリングを有している）を提供する通信システムに適用可能である。専用トラフィックチャネル上で伝送される情報は、より高い保証されたサービス品質を提供する第１の接続を使用して伝送することができ、パケットデータチャネル上で伝送される情報は、第２の接続を使用して伝送することができる。パケットデータチャネルのための伝送スケジューリングは、少なくとも部分的にトランシーバネットワーク要素内に実現されるので、第２の接続を通しての非一定伝送遅延、または可能な再伝送は重要ではない。
【００５９】
以上に、添付図面を参照して本発明を実施するための装置及び方法の好ましい形態を説明したが、本発明は上述した実施の形態に限定されるものではなく、特許請求の範囲に記載されている本発明の思想から逸脱することなく多くの再配列、変更、及び置換が可能であることを理解されたい。
【図面の簡単な説明】
【００６０】
【図１】制御ネットワーク要素及びトランシーバネットワーク要素を含む通信システムの一例を示す図である。
【図２】本発明の実施の形態による通信システムの一例を示す図である。
【図３】ａ及びｂは、通信デバイス、トランシーバネットワーク要素、及び制御ネットワーク要素に関連するプロトコルスタックの一例を示す概要図である。
【図４】本発明の実施の形態による方法のフローチャートの一例である。
【図５】本発明の別の実施の形態による別の方法のフローチャートの一例である。
【図６】本発明の実施の形態による制御ネットワーク要素及びトランシーバネットワーク要素の一例を示す概要図である。
【図１】
2008503951.tif 000003
【図２】
2008503951.tif 000004
【図３ａ】
2008503951.tif 000005
【図３ｂ】
2008503951.tif 000006
【図４】
2008503951.tif 000007
【図５】
2008503951.tif 000008
【図６】
2008503951.tif 000009
【国際調査報告】
2008503951.tif 000010
2008503951.tif 000011
2008503951.tif 000012